(57)【要約】【課題】機械的強度が高くても重量が大きくならない内部構造体によって、その内部構造体が変形することによるバッグ自体の変形，破損、ひいてはゴルフクラブの損傷を確実に防ぎ、かつゴルフバッグの軽量化も図ることができるゴルフバッグ用の内部構造体を提供すること。【解決手段】  ゴルフバッグの内部に配設される上端が開放された中空筒状の内部構造体１１において、その内部構造体１１の周壁１１ａに補強帯１３をスパイラル状に巻き付け固定したこ。【選択図】図２
0003123162.tif 000002
【実用新案登録請求の範囲】
【請求項１】
ゴルフバッグの内部に配設される上端が開放された中空筒状の内部構造体において、その内部構造体の周壁に補強帯をスパイラル状に巻き付け固定したことを特徴とするゴルフバッグの内部構造体。
【請求項２】
補強帯が内部構造体のボトム付近にも巻き付けられた請求項１に記載のゴルフバッグの内部構造体。
【請求項３】
内部構造体は、開口の周りに補強リング又は帯材などによる口枠を備えた請求項１又は２に記載のゴルフバッグの内部構造体。
【考案の詳細な説明】
【技術分野】
【０００１】
本考案は、ゴルフバッグにその内部構造体として用いられているドカンなどと称される有底円筒状の内部構造体の補強構造に関する。
【背景技術】
【０００２】
ゴルフバッグは、プレーヤー自身が肩に掛けて、又は宅配業者に委託することによってプレーヤーの自宅とゴルフ場との間などの運搬をしている。このゴルフバッグには、ゴルフクラブの他に、ゴルフ手袋、ゴルフシューズなどのプレイに関連するものの収納部が設けられているので、バッグ全体ではかなりの重量となり、運搬中に横倒しにして積み重ねたり、衝撃的な外力が作用すると、ドカンと称される筒状の内部構造体が変形し、収容しているゴルフクラブなどを損傷することがある。
【０００３】
このような問題を解決するために、ゴルフクラブを収納する筒状の内部構造体の開口の周囲に口枠を設けたものが提案されている（例えば特許文献１を参照）。口枠としては、プラスチック，スチールなどが用いられている。このゴルフバッグは、内部構造体の開口付近の機械的強さを、底部付近のそれと同じ位になるようにして、宅配などに際してゴルフバッグを横にして積み重ねたり、外力が作用しても、収容したゴルフクラブなどの損傷を防いでいる。内部構造体の底部付近は、上部の開口部に比べその底部によって強度が高い。
【０００４】
しかしながら、ボトムを有する筒状の内部構造体の上下部の強度が高くても、両部の間にある広い面積をもつ周壁が外力や重力を受けると潰れやすい。この潰れを防ぐためには、周壁の肉厚を大きくすることが考えられるが、内部構造体自体の重量が大きくなって、ゴルフバッグの全体の重量が増すこととなりバッグの軽量化を果たすことができない。
【特許文献１】特許第２９２７３３５号明細書（特開平９−１４０８４１号公報）
【考案の開示】
【考案が解決しようとする課題】
【０００５】
そこで本考案では、上記のような現状に鑑み、機械的強度が高くても重量が大きくならない内部構造体によって、その内部構造体が変形することによるバッグ自体の変形，破損、ひいてはゴルフクラブの損傷を確実に防ぎ、かつゴルフバッグの軽量化も図ることができるゴルフバッグ用の内部構造体を提供することを、その課題とする。
【課題を解決するための手段】
【０００６】
上記課題を解決することを目的としてなされた本考案ゴルフバッグの内部構造体の構成は、ゴルフバッグの内部に配設される上端が開放された中空筒状の内部構造体において、その内部構造体の周壁に補強帯をスパイラル状に巻き付け固定したことを特徴とするものである。
【０００７】
本考案は、上記構成において、補強帯が内部構造体のボトム付近にも巻き付けられ、内部構造体の上部開口の周りに補強リング又は帯を備えていてもよい。
【考案の効果】
【０００８】
本考案のゴルフバッグの内部構造体は、その周壁に補強帯をスパイラル状に巻き付けて固定したため、内部構造体の周壁全体の機械的強度が高まり、横積みしたり外力が周壁に作用しても、ほとんど変形せずゴルフバッグの変形を防ぐと共に、クラブの損傷を防ぐこともできる。そして、周壁の厚みを増大させないので、軽量なゴルフバッグを形成する上で有利である。
【０００９】
本考案において、補強帯は内部構造体のボトム付近にも巻き付けているので、内部上部開口部の周りに口枠としての補強リングや帯材などを備えていることと相俟って、潰れ難い機械的強度の高い内部構造体を用いたゴルフバッグを得ることができる。
【考案を実施するための最良の形態】
【００１０】
以下、添付図を参照して本考案ゴルフバッグの内部構造体の実施形態の一例を説明する。図１は本考案内部構造体を使用したゴルフバッグの一実施例を示す斜視図、図２は図１の内部構造体の一部を破断した正面図である。
【００１１】
図１のゴルフバッグは、本考案内部構造体１１と外装体１２とを具備している。
【００１２】
内部構造体１１は、上端を開放された中空円筒状のもので、例えば合成樹脂成形品からなる。周壁１１ａにおいて開口１１ｂを形成する領域には、口径寸法を保持する補強リングや帯材、或は、成形枠体による口枠２１が取付けられて内部構造体１１に固定されている。なお、図示していないが、内部構造体１１の内部には、通常のゴルフバッグと同じようにセパレータが組み込まれ、セパレータによってゴルフクラブ２２を種類別に区分け収納できるようにしている。
【００１３】
本考案において、内部構造体１１の周壁１１ａには、補強帯１３が取り付けれている。補強帯１３は、合成樹脂材や金属バネ材などで製した細長い板材乃至帯材からなる。例えば合成樹脂薄板からなる補強帯１３は、周壁１１ａの周りにスパイラル状に巻き付けると共に、接着剤又は縫着、或は、鋲止めなどによって、当該内部構造体１１の周壁１１ａに固定することにより、周壁１１ａの全体的な機械的強度を高める。なお、前記補強帯１３は、内部構造体１１のボトム１１ｃの近傍の外周面に周方向に巻き付け、底壁１１ｃの周りの機械的強度を高めている。
【００１４】
上記のように補強帯１３をスパイラル状に取付けた本考案内部構造体１１は、開口１１ｂを上にして、ゴルフバッグの外装となる外装体１２の中に組み込み、この外装体１２と一体化されていると共に、外装体１２との間が水密にシールされている。なお、バッグの外装体１２は、開口１１ｂを閉じるキャップ１４、ゴルフシューズを容れるポケット１５、手袋などの小物を容れるポケット１６などが設けられている。なお、負荷荷重の大きなパーツ、例えば、ショルダーベルト１７は外装体１２を貫通して内部構造体１１に取り付けた吊り環１８に保持され、把手１９は内部構造体１１に直接固定される。
【００１５】
この内部構造体１１を備えたゴルフバッグの使用態様の一例は、ゴルフクラブ２２を内部構造体１１の内部に入れ、フード１４によって内部構造体１２を閉じ、ポケット１５にゴルフシューズを、ポケット１６に手袋などの小物を収容して、宅配業者に運搬委託される。
【００１６】
運搬，宅配に際して、本考案内部構造体１１を備えたゴルフバッグを横にして上下に積み重ねても、内部構造体１１がその周壁に補強帯１３をスパイラル状に巻き付け固定されているので、周壁１１ａ全体の機械的強度が高く、従って、運搬時に隣接するゴルフバッグが圧接したり、外力が作用することにがあっても、内部構造体１０の周壁１１ｂが潰れることは全くといってよい程ない。
【００１７】
そして、上開口１１ｂにある口枠２１とボトム１１ｃが、補強帯１３によって剛性が付与された周壁１１ａと協働して内部構造体１１の変形を阻止し、内部構造体１１に収納されたゴルフクラブ２２や小物類の損傷を確実に防ぐことができる。なお、補強帯１３の幅寸法Ｗは、任意であるが、広幅の補強帯１３が内部構造体１１の機械的強度を高くする。なお、補強帯１３の材料を選択することによっても、内部構造体１１を重量が大きくなることを押えることができる。
【００１８】
本考案内部構造体１１は、上記のように、その内部構造体１１の周壁全体に補強帯１３をスパイラル状に巻き付け固定することによって高い機械的強度を得ているので、内部構造体１１の周壁１１ａの肉厚を小さくすることができ、内部構造体１１の軽量化、すなわちゴルフバッグの軽量化を図ることができる。さらに、この内部構造体１１を採用したゴルフバッグでは、補強帯１３がボトム１１ｃの周りに巻き付けられることによって、内部構造体１１の下端付近の機械的強さも高めているので、ボトム１１ｃの厚みを従来品より小さくすることができ、これによって一段とゴルフバッグの軽量化を図ることができる。
【００１９】
なお、以上説明した実施の態様において、内部構造体１１と補強帯１３とは別部材からなっているが、一体化するなど、本考案ゴルフバッグは使用目的に応じた変更や改善を行うことができる。
【産業上の利用可能性】
【００２０】
本考案は以上の通りであって、ゴルフバッグの内部に配設される上端が開放された中空筒状の内部構造体の周壁に補強帯をスパイラル状に巻き付け固定したから、ゴルフバッグを横積みしても、或は、そのバッグに外力が作用しても容易に潰れることはないので、ゴルフバッグ本体の変形を防ぎ、収容したゴルフクラブをよく保護することができる。
【図面の簡単な説明】
【００２１】
【図１】本考案内部構造体を用いたゴルフバッグの一実施例を示す斜視図。
【図２】図１に示す内部構造体の一部を破断した正面図。
【符号の説明】
【００２２】
１１        内部構造体
１１ａ      周壁
１１ｂ      開口
１１ｃ      ボトム
１２        外装体
１３        補強帯
１４        フード
１５，１６  ポケット
１７        ショルダーベルト
１８        吊り環
１９        把手（ハンドル）
２１        口枠
２２        ゴルフクラブ
【図１】
0003123162.tif 000003
【図２】
0003123162.tif 000004